(57)【要約】  少なくとも観察側が透明な２枚の電極付き基板（１，２）間に、帯電特性の異なる２種類の粒子群（３Ｗ，３Ｂ）を封止し、電極が対向して形成する電極対間に形成した電界で、２種類の粒子群を基板側に移動させて画像を表示する画像表示装置において、２種類の粒子群を駆動させる駆動電圧生成手段（２１，３１）が、表示する画像に対応する駆動電圧を生成し、生成した駆動電圧を電極対間に印加して形成した電界で、２種類の粒子群を基板側に移動させて画像を表示する画像形成用駆動電圧生成機能（２１）、および、発生する音響に対する駆動電圧を生成し、生成した駆動電圧を電極対間に印加して形成した電界で、２種類の粒子群を基板側に移動させて音響を発生する音響発生用駆動電圧生成機能（３１）を含ませる。これにより、薄型の音響発生機能付き画像表示装置を安価に提供する。
2011089919.tif 000002
【特許請求の範囲】
【請求項１】
少なくとも観察側が透明な２枚の電極付き基板間に、帯電特性の異なる２種類の粒子群を封止し、前記電極が対向して形成する電極対間に形成した電界で、前記２種類の粒子群を移動させて画像を表示する画像表示装置において、
前記２種類の粒子群を駆動させる駆動電圧生成手段が、表示する画像に対応する駆動電圧を生成し、生成した駆動電圧を電極対間に印加して形成した電界で、前記２種類の粒子群を基板側に移動させて画像を表示する画像形成用駆動電圧生成機能、および、発生する音響に対する駆動電圧を生成し、生成した駆動電圧を電極対間に印加して形成した電界で、前記２種類の粒子群を基板側に移動させて音響を発生する音響発生用駆動電圧生成機能を含むことを特徴とする音響発生機能付き画像表示装置。
【請求項２】
前記画像形成用駆動電圧生成機能および前記音響発生用駆動電圧生成機能を、各別の駆動電圧生成手段にて実行することを特徴とする請求項１に記載の音響発生機能付き画像表示装置。
【請求項３】
前記画像形成用駆動電圧生成機能および前記音響発生用駆動電圧生成機能を、１つの駆動電圧発生手段にて実行することを特徴とする請求項１に記載の音響発生機能付き画像表示装置。
【請求項４】
前記２枚の基板を対向させて形成したパネルを、画像表示に用いる領域と、音響発生に用いる領域とに分割したことを特徴とする請求項１〜３のいずれか１項に記載の音響発生機能付き画像表示装置。
【請求項５】
前記画像表示に用いる領域と、前記音響発生に用いる領域との分割位置を変更できるようにしたことを特徴とする請求項４に記載の音響発生機能付き画像表示装置。
【請求項６】
前記２枚の電極付き基板をそれぞれ、透明な共通電極付き観察側基板およびＴＦＴ画素電極付き背面側基板とし、対向電極対をマトリックス配置させたことを特徴とする請求項１〜５のいずれか１項に記載の音響発生機能付き画像表示装置。
【請求項７】
前記２枚の電極付き基板をそれぞれ、透明なストライプ電極付き観察側基板およびストライプ電極付き背面側基板とし、ストライプ電極が直交するように対向させて形成した電極対をマトリックス配置させたことを特徴とする請求項１〜５のいずれか１項に記載の音響発生機能付き画像表示装置。
【請求項８】
表示した画像を消去する際に、前記表示する画像に対応する駆動電圧を生成する画像形成用駆動電圧生成機能に代えて、前記発生する音響に対応する駆動電圧を生成する音響発生用駆動電圧機能を実行することを特徴とする請求項１〜７のいずれか１項に記載の音響発生機能付き画像表示装置。
【請求項９】
音を発生させたい領域にある２種類の粒子群を、画像を表示したい領域にある、それぞれ光学的反射率が異なる、正帯電性粒子を含んだ粒子群および負帯電性粒子を含んだ粒子群である２種類の粒子群とは無関係に、正帯電性粒子を含んだ粒子群および負帯電性粒子を含んだ粒子群である２種類の粒子群で構成したことを特徴とする請求項１〜８のいずれか１項に記載の音響発生機能付き画像表示装置。
【発明の詳細な説明】
【技術分野】
【０００１】
本発明は、画像を表示することに加えて音を発生することのできる音響発生機能付き画像表示装置に関するものである。
【背景技術】
【０００２】
従来、少なくとも一方が透明な、電極を配した２枚の基板の対向空間に、帯電性粒子を含んだ粒子群として構成した表示媒体を封入し、表示させる画像に対応した電圧を電極に印加して、電極対間に発生させた電界により表示媒体を移動させて画像を表示する画像表示装置が知られている（例えば、特許文献１参照）。また、画像表示装置と音響発生装置とを組み合せ、画像表示と音響表示との双方が行えるようにした音響発生装置一体型の画像表示装置も知られている。
【先行技術文献】
【特許文献】
【０００３】
【特許文献１】国際公開ＷＯ０３／０５０６０６号
【発明の概要】
【発明が解決しようとする課題】
【０００４】
従来の画像表示装置と、従来の音響発生装置とを組み合せ、画像表示と音響発生との双方を行えるようにした音響発生装置一体型の画像表示装置では、画像表示装置とは別のデバイスとなる音響発生装置を用いることになるため、それぞれの装置がそれぞれの機能を発現するために必要な構成部材を搭載することになり、コスト高になるという問題があった。例えば、音響発生装置であるスピーカーに必要な構成材料であるコーンなどの振動部材や音響アンプなどの追加が必要であり、その分コスト高になっていた。また、薄型の音響発生装置として平行平板型スピーカーが知られているが、この場合にも画像表示装置とは別体にこのスピーカーが搭載されることになり、このスピーカーの分は厚くなった画像表示装置となっていた。【０００５】
本発明の目的は、画像表示装置と音響発生装置とを組み合わせた音響発生装置一体型の画像表示装置とするのではなく、画像表示装置の中に、画像表示装置を構成する部材を用いて、音響発生機能を持たせることにより上述した問題点を解消して、薄型の音響発生機能付き画像表示装置を安価に提供しようとするものである。
【課題を解決するための手段】
【０００６】
本発明の音響発生機能付き画像表示装置は、少なくとも観察側が透明な２枚の電極付き基板間に、帯電特性の異なる２種類の粒子群を封止し、前記電極が対向して形成する電極対間に形成した電界で、前記２種類の粒子群を移動させて画像を表示する画像表示装置において、前記２種類の粒子群を駆動させる駆動電圧生成手段が、表示する画像に対応する駆動電圧を生成し、生成した駆動電圧を電極対間に印加して形成した電界で、前記２種類の粒子群を基板側に移動させて画像を表示する画像形成用駆動電圧生成機能、および、発生する音響に対する駆動電圧を生成し、生成した駆動電圧を電極対間に印加して形成した電界で、前記２種類の粒子群を基板側に移動させて音響を発生する音響発生用駆動電圧生成機能を含むことを特徴とするものである。【０００７】
また、本発明の音響発生機能付き画像表示装置の好適例としては、前記画像形成用駆動電圧生成機能および前記音響発生用駆動電圧生成機能を、各別の駆動電圧生成手段にて実行すること、前記画像形成用駆動電圧生成機能および前記音響発生用駆動電圧生成機能を、１つの駆動電圧発生手段にて実行すること、前記２枚の基板を対向させて形成したパネルを、画像表示に用いる領域と、音響発生に用いる領域とに分割したこと、前記画像表示に用いる領域と、前記音響発生に用いる領域との分割位置を変更できるようにしたこと、前記２枚の電極付き基板をそれぞれ、透明な共通電極付き観察側基板およびＴＦＴ画素電極付き背面側基板とし、対向電極対をマトリックス配置させたこと、前記２枚の電極付き基板をそれぞれ、透明なストライプ電極付き観察側基板およびストライプ電極付き背面側基板とし、ストライプ電極が直交するように対向させて形成した電極対をマトリックス配置させたこと、表示した画像を消去する際に、前記表示する画像に対応する駆動電圧を生成する画像形成用駆動電圧生成機能に代えて、前記発生する音響に対応する駆動電圧を生成する音響発生用駆動電圧機能を実行すること、音を発生させたい領域にある２種類の粒子群を、画像を表示したい領域にある、それぞれ光学的反射率が異なる、正帯電性粒子を含んだ粒子群および負帯電性粒子を含んだ粒子群である２種類の粒子群とは無関係に、正帯電性粒子を含んだ粒子群および負帯電性粒子を含んだ粒子群である２種類の粒子群で構成したこと、がある。
【発明の効果】
【０００８】
本発明によれば、少なくとも観察側が透明な２枚の電極付き基板間に、帯電特性の異なる２種類の粒子群を封止し、前記電極が対向して形成する電極対間に形成した電界で、前記２種類の粒子群を移動させて画像を表示する画像表示装置において、前記２種類の粒子群を駆動させる駆動電圧生成手段が、表示する画像に対応する駆動電圧を生成し、生成した駆動電圧を電極対間に印加して形成した電界で、前記２種類の粒子群を基板側に移動させて画像を表示する画像形成用駆動電圧生成機能、および、発生する音響に対する駆動電圧を生成し、生成した駆動電圧を電極対間に印加して形成した電界で、前記２種類の粒子群を基板側に移動させて音響を発生する音響発生用駆動電圧生成機能を含むよう構成したので、画像表示装置の中に、画像表示装置を構成する部材を用いて、音響発生機能を持たせることができ、薄型の音響発生機能付き画像表示装置を安価に得ることができる。【０００９】
また、本発明の好適例として、前記画像形成用駆動電圧生成機能および前記音響発生用駆動電圧生成機能を、各別の駆動電圧生成手段にて実行する場合は、音の再現性を高めることができる。さらに、前記画像形成用駆動電圧生成機能および前記音響発生用駆動電圧生成機能を、１つの駆動電圧発生手段にて実行する場合は、装置をコンパクトにすることができるとともに、コストダウンを行える。さらにまた、２枚の基板を対向させて形成したパネルを、画像表示に用いる領域と、音声発生に用いる領域とに分割し、さらに、画像表示に用いる領域と、音響発生に用いる領域との分割位置を変更できるようにした場合は、画像と音とによる表現を、よりバラエティーに富んだものとすることができる。【００１０】
また、本発明の他の好適例として、前記２枚の電極付き基板をそれぞれ、透明な共通電極付き観察側基板およびＴＦＴ画素電極付き背面側基板とし、対向電極対をマトリックス配置させたり、前記２枚の電極付き基板をそれぞれ、透明なストライプ電極付き観察側基板およびストライプ電極付き背面側基板とし、ストライプ電極が直交するように対向させて形成した電極対をマトリックス配置させたりすることがある。いずれの場合も、画像形成用の電極を、音響発生用の電極として兼用できるので、装置をコンパクトにすることができるとともに、コストダウンを行える。また、表示した画像を消去する際に、画像形成用駆動電圧生成機能に代えて、音響発生用駆動電圧生成機能を実行する場合は、表示画像を書き換える動作に入ったことを音で知らせることができる。【００１１】
さらに、本発明の他の好適例として、音を発生させたい領域にある２種類の粒子群を、画像を表示したい領域にある、それぞれ光学的反射率が異なる、正帯電性粒子を含んだ粒子群および負帯電性粒子を含んだ粒子群である２種類の粒子群とは無関係に、正帯電性粒子を含んだ粒子群および負帯電性粒子を含んだ粒子群である２種類の粒子群で構成した場合は、画像表示と音響発生とをそれぞれ最適にすることができる。
【図面の簡単な説明】
【００１２】
【図１】本発明の音響発生機能付き画像表示装置の一例を説明するための概念図である。
【図２】本発明の音響発生機能付き画像表示装置の他の例を説明するための概念図である。
【図３】（ａ）、（ｂ）はそれぞれ本発明の音響発生機能付き画像表示装置における画像表示の例を説明するための図である。
【図４】（ａ）、（ｂ）はそれぞれ本発明の音響発生機能付き画像表示装置における音響発生の例を説明するための図である。
【図５】（ａ）〜（ｄ）はそれぞれ本発明の音響発生機能付き画像表示装置における音発生部位の分割例を説明するための図である。
【図６】（ａ）、（ｂ）はそれぞれ本発明の音響発生機能付き画像表示装置のさらに他の構成を説明するための図である。
【図７】（ａ）、（ｂ）はそれぞれ本発明の音響発生機能付き画像表示装置におけるパネル部の電極配置構成の例を示す図である。
【図８】（ａ）、（ｂ）はそれぞれ本発明の音響発生機能付き画像表示装置におけるパネル部の電極配置構成の他の例を示す図である。
【発明を実施するための形態】
【００１３】
図１は本発明の音響発生機能付き画像表示装置の一例を説明するための概念図である。図１に示す例において、本発明の音響発生機能付き画像表示装置は、画像表示部であるとともに音響発生部であるパネル部１１、画像形成用駆動電圧生成手段２１および音響発生用駆動電圧生成手段３１を含んで構成されている。
【００１４】
図１に示すパネル部１１において、１は下側の第１のパネル基板、２は上側の透明な第２のパネル基板、３Ｗは負帯電白色粒子３Ｗａを含んで構成される白色粒子群、３Ｂは正帯電黒色粒子３Ｂａを含んで構成される黒色粒子群、５は第１のパネル基板１上に配置した第１のストライプ電極、６は第２のパネル基板２上に配置した透明な第２のストライプ電極である。また、図１に示す画像形成用駆動電圧生成手段２１において、２２はＣＰＵ、２３はＣＰＵ２２の制御のもと画像形成用駆動電圧により表示すべき画像を供給するグラフィックコントローラ、２４−１は第１のストライプ電極５に画像形成用駆動電圧を供給する第１のドライバＩＣ、２４−２は透明な第２のストライプ電極６に画像形成用駆動電圧を供給する第２のドライバＩＣである。さらに、図１に示す音響発生用駆動電圧生成手段３１において、３２は音源、３３はＣＰＵ、３４はＣＰＵ３３の制御のもと音源３２からの音響信号を電圧に変換して発生すべき音響発生用駆動電圧を供給する信号処理部、３５はアンプ、３６−１は第１のストライプ電極５の全部あるいは一部に音響発生用駆動電圧を供給する第１のセレクタ、３６−２は透明な第２のストライプ電極６の全部あるいは一部に音響発生用駆動電圧を供給する第２のセレクタである。
【００１５】
図２は本発明の音響発生機能付き画像表示装置の他の例を説明するための概念図である。図２に示す例において、図１に示す例と同一の部材には同一の符号を付し、その説明を省略する。図２に示す例において、図１に示す例と異なる点は、画像形成用駆動電圧生成手段２１に音響発生用駆動電圧生成手段３１の役目を兼用させた点である。図２に示す例では、図１に示したパネル部１１および画像形成用駆動電圧生成手段２１に音源３２を付加するだけで、ＣＰＵ３３の制御２２でＣＰＵ３３の役目を兼用し、グラフィックコントローラ２２で信号処理部３４の役目を兼用し、第１のドライバＩＣ２４−１でアンプ３５および第１のセレクタ３６−１の役目を兼用し、第２のドライバＩＣ２４−２でアンプ３５および第２のセレクタ３６−２の役目を兼用している。
【００１６】
上述した本発明の音響発生機能付き画像表示装置では、従来の画像表示装置の構成と同じ構成のパネル部１１および画像形成用駆動電圧生成手段２１を用い、図１に示す例のように音響発生用駆動電圧生成手段３１を付加するだけで、あるいは、図２に示す例のように画像形成用駆動電圧生成手段２１に音響発生用駆動電圧生成手段３１の役目を兼用させた場合は、音源３２以外に何の手段をも付加することなく、同じパネル部１１を使用して、画像形成用駆動電圧生成手段２１の制御により画像を表示できるとともに、音響発生用駆動電圧生成手段３１の制御により音を発生することができる。
【００１７】
次に、本発明の音響発生機能付き画像表示装置における画像表示の例および音響発生の例を、図３（ａ）、（ｂ）および図４（ａ）、（ｂ）を参照して説明する。なお、図３（ａ）、（ｂ）に示す例では、リブ４を格子状に設けてパネル基板間ギャップを確保するとともにセル構造を形成したパネル部１１の例を示している。リブ４で形成したセル構造毎に白色粒子群３Ｗおよび黒色粒子群３Ｂを封入することで、基板間の対向空間内における粒子群の分布の偏りを防止することができる。図３ではリブ４の上に接着剤９を配置して、リブ４が形成されたパネル基板２ともう一方のパネル基板１とを貼り合わせている。したがって、セルはリブによって密閉されているが、リブの一部をパネル基板間ギャップよりも短いリブにして、セル間に隙間を設けるようにしてもよい。リブとパネル基板との隙間は粒子群の平均粒子径以下にすると、粒子群が隣のセルに移動することを妨げるので好ましい。
【００１８】
図３（ａ）、（ｂ）はそれぞれ本発明の音響発生機能付き画像表示装置のパネル部における画像表示の例を説明するための図である。図３（ａ）、（ｂ）に示す例において、少なくとも光学的反射率および帯電性を有する粒子を含んで構成した少なくとも２種類の粒子群（ここでは負帯電性白色粒子３Ｗａを含んで構成した白色粒子群３Ｗと正帯電性黒色粒子３Ｂａを含んで構成した黒色粒子群３Ｂを示す）を、リブ４で形成された各セルにおいて、第１のパネル基板１に設けた第１のストライプ電極５と透明な第２のパネル基板２に設けた透明な第２のストライプ電極６とが対向交差（好ましくは直交交差）して形成する画素電極対の間に電圧を印加することにより発生する電界に応じて、基板１、２と略垂直に移動させる。そして、図３（ａ）に示すように透明な第２のパネル基板に付着した白色粒子群３Ｗを観察者に視認させて白色の表示を、あるいは、図３（ｂ）に示すように透明な第２のパネル基板に付着した黒色粒子群３Ｂを観察者に視認させて黒色の表示を白黒のドットでマトリックス表示している。なお、図３（ａ）、（ｂ）において、手前にあるリブは省略している。また、ここではセルと画素（ドット）とが１対１に対応する例を示している。さらに、９は接着剤である。本発明では、第２のパネル基板２および第２のストライプ電極６は透明である必要があるが、第１のパネル基板１および第１のストライプ電極５は透明でも不透明でも良い。
【００１９】
図４（ａ）、（ｂ）はそれぞれ本発明の音響発生機能付き画像表示装置における音響発生の例を説明するための図である。図４（ａ）、（ｂ）に示す例において、図３に示した正帯電黒色粒子群３Ｂと負帯電白色粒子群３Ｗとの２種類の粒子群を利用している。そして、図４（ａ）に示すように、第１のストライプ電極５の電位よりも第２のストライプ電極６の電位の方を低くすると、正帯電黒色粒子群３Ｂは第２のパネル基板２側に移動するとともに第２のパネル基板２に衝突し、負帯電白色粒子群３Ｗは第１のパネル基板１側に移動するとともに第１のパネル基板１に衝突する。また、図４（ｂ）に示すように、第１のストライプ電極５の電位よりも第２のストライプ電極６の電位の方を高くすると、正帯電黒色粒子群３Ｂは第１のパネル基板１側に移動するとともに第１のパネル基板１に衝突し、負帯電白色粒子群３Ｗは第２のパネル基板２側に移動するとともに第２のパネル基板２に衝突する。粒子群が移動して、正帯電黒色粒子３Ｂａおよび負帯電白色粒子３Ｗａが第１のパネル基板１あるいは第２のパネル基板２に衝突することによって音が発生する。音の発生メカニズムは解明できていないが、粒子が衝突したことによってパネル基板が振動することで音が発生するものと推量できる。
【００２０】
次に、本発明の音響発生機能付き画像表示装置における音発生の好適例について説明する。図５（ａ）〜（ｄ）はそれぞれ本発明の音響発生機能付き画像表示装置における音発生部位の分割例を説明するための図である。まず、図５（ａ）に示す本発明の音響発生機能付き画像表示装置では、複数の対向電極対をパネルの領域毎にまとめて同時に音響発生用駆動電圧を印加することで、発生する音の音量を大きくすることができる。次に、図５（ｂ）〜（ｄ）に示すように、複数のグループにグループ分けすれば、異なる位置から音を発生させることができる。図５（ｂ）に示すように左右に分割すれば容易にステレオスピーカーを構成できるし、図５（ｃ）に示すようにさらに細かく分割し、音発生点を細かく制御することも可能である。さらに、音発生に際しては基板に付着して画像を表示している帯電性粒子を含む粒子群がパネル基板の振動で動いてしまうことがあるため、画像が乱れる場合がある。その場合は、図５（ｄ）に示すように、画像表示位置と音発生位置とを分割することにより、画像表示領域と音発生領域とを分けて使用するようにして画像乱れを解消できる。
【００２１】
さらに、本発明の音響発生機能付き画像表示装置では、音響発生用駆動電圧を印加することにより画像形成用駆動電圧を用いないで画像消去を行うことができる。具体的には、図４（ａ）、（ｂ）に示すようにして音を発生する音響発生用駆動電圧を印加することによって、従来、全画面を一度に白表示または黒表示する画面消去工程を実行することができる。また、表示画像を書き換える動作に入ったことを画面消去工程で発生させた音で知らせることができる。
【００２２】
上述した本発明の音響発生機能付き画像表示装置によれば、対向配置した第１のパネル基板１と第２のパネル基板２とで構成したパネル部だけで画像表示と音響発生とを実行できるため、装置の薄型化が可能である。また、粒子群をパネル基板と衝突させて音を発生しているため、簡単な構成で高い音量の音を発生することができる。
【００２３】
次に、本発明の音響発生機能付き画像表示装置のさらに他の構成を説明する。図６（ａ）、（ｂ）はそれぞれ本発明の音響発生機能付き画像表示装置のさらに他の構成を説明するための図である。図６（ａ）、（ｂ）に示す例において、図１〜図２に示す例と同一の部材には同一の符号を付し、その説明を省略する。図６（ａ）に示す例では、互いに別体として設けた、画像形成用駆動電圧生成手段２１と音響発生用駆動電圧生成手段３１とを、パネル部１１と一体に、筐体４１内に収納して、音響発生機能付き画像表示装置を構成している。図６（ｂ）に示す例では、画像形成用駆動電圧生成手段の機能と音響発生用駆動電圧生成手段の機能とを兼用させた、画像形成用駆動電圧生成手段兼音響発生用駆動電圧生成手段４２を、パネル部１１と一体に、筐体４１内に収納している。
【００２４】
次に、本発明の音響発生機能付き画像表示装置におけるパネル部の電極配置構成の例を説明する。図７（ａ）、（ｂ）および図８（ａ）、（ｂ）はそれぞれ本発明の音響発生機能付き画像表示装置におけるパネル部の電極構成の例を示す図である。図７（ａ）、（ｂ）および図８（ａ）、（ｂ）に示す例において、図３（ａ）、（ｂ）に示す例と同一の部材には同一の符号を付し、その説明を省略する。図７（ａ）、（ｂ）に示す例では、パネル部１１として、隔壁４で囲まれた基板１、２間のセル空間内に、正帯電性黒色粒子３Ｂａを含んだ黒色粒子群３Ｂおよび負帯電性白色粒子３Ｗａを含んだ白色粒子群３Ｗを封入したドットマトリックス型パッシブ駆動パネルの例を示している。この構成のパネル部の一部を示したのが前述した図３である。図８（ａ）、（ｂ）に示す例では、パネル部１１として、隔壁４で囲まれた基板１、２間のセル空間内に、正帯電性黒色粒子３Ｂａを含んだ黒色粒子群３Ｂおよび負帯電性白色粒子３Ｗａを含んだ白色粒子群３Ｗを封入したドットマトリックス型アクティブ駆動パネルの例を示している。背面側基板をＴＦＴ画素電極付き基板とし、観察側基板を共通電極付き基板とし、各セルに配置した２種類の粒子群をＴＦＴでアクティブ制御できる。
【００２５】
次に、本発明の音響発生機能付き画像表示装置を構成する各部材について説明する。
【００２６】
パネル部の基板としては、少なくとも一方の基板はパネル部観察側の外側から、基板に付着した粒子群をみることができる透明基板であり、可視光の透過率が高くかつ耐熱性の良い材料が好適である。もう一方の基板となる背面側基板は透明でも不透明でもかまわない。基板材料を例示すると、ポリエチレンテレフタレート（ＰＥＴ）、ポリエチレンナフタレート（ＰＥＮ）、ポリエチレン（ＰＥ）、ポリカーボネート（ＰＣ）、ポリイミド（ＰＩ）、ポリエーテルサルフォン（ＰＥＳ）、アクリル等の有機高分子系材料の基板や、ガラスシート、石英シート、絶縁膜で被覆した金属シート等を用い、観察側にはこのうち透明なものを用いる。基板の厚みは、２μｍ〜２０００μｍが好ましく、さらに５μｍ〜１０００μｍが好適であり、薄すぎると、強度、基板間の間隔均一性を保ちにくくなり、２０００μｍより厚いと、薄型のパネル部にして装置全体を薄型にする場合に不都合がある。
【００２７】
電極の形成材料としては、アルミニウム、銀、ニッケル、銅、金等の金属類や酸化インジウム錫（ＩＴＯ）、酸化インジウム亜鉛（ＩＺＯ）、アルミニウムドープ酸化亜鉛（ＡＺＯ）、酸化インジウム、導電性酸化錫、アンチモン錫酸化物（ＡＴＯ）、導電性酸化亜鉛等の導電金属酸化物類、ポリアニリン、ポリピロール、poly(3,4-ethylenedioxythiophene)-poly-(styrenesulfonate)（ＰＥＤＯＴ：ＰＳＳ）等のポリチオフェンなどの導電性高分子類が例示され、適宜選択して用いられる。電極の形成方法としては、上記例示の材料をスパッタリング法、真空蒸着法、ＣＶＤ（化学蒸着）法、塗布法等で薄膜状に形成する方法、金属箔（例えば圧延銅箔など）をラミネートする方法や、導電剤を溶媒や合成樹脂バインダーに混合して塗布して成膜する方法が用いられる。観察側（表示面側）基板の表示画面領域に設ける電極は透明である必要があるが、背面側基板に設ける電極は透明である必要がない。いずれの場合も成膜可能で、導電性である上記材料を好適に用いることができる。なお、電極の厚みは、導電性や光透過性を鑑みて決定され、０．０１μｍ〜１０μｍ、好ましくは０．０５μｍ〜５μｍである。観察時に背面側となる基板に設ける電極の材質や厚みについては光透過性を鑑みる必要はない。
【００２８】
また、パネル部の観察側電極として好適なＩＴＯなどの透明金属酸化物系導電性材料は、金属材料に比べて可とう性が小さい。観察側電極を透明金属酸化物系導電性材料で構成した電極とする場合には、透明電極材中での断線防止のため、金属細線と併用することが好ましい。この金属細線の幅は、１μｍ〜１０μｍとすれば表示視認性の妨げとならないので好ましい。特に、ストライプ電極のようにライン状の電極をＩＴＯなどの金属酸化物系導電性材料で構成した電極とする場合には、ライン状電極中での断線防止のため、金属細線を併用することが好ましい。背面側電極は光透過性を考慮する必要がないので電気抵抗が小さく、可とう性にも優れた前記金属材料が好適に用いられる。
【００２９】
パネル部の基板間ギャップを所定ギャップに確保するため、および、粒子群を収容するセルを形成するために設けるリブについては、その形状は用いる粒子群の種類や、電極の形状、配置により適宜最適設定され、一概には限定されないが、リブの幅は２μｍ〜１００μｍ、好ましくは３μｍ〜５０μｍに、リブの高さは１０μｍ〜５００μｍ、好ましくは１０μｍ〜２００μｍに調整される。
また、リブを形成するにあたり、対向する両基板１、２の各々にリブを形成した後に接合する両リブ法、片側の基板上にのみリブを形成する片リブ法が考えられる。この発明では、いずれの方法も用いられる。
これらのリブより形成されるセルは、基板平面方向からみて四角形状、六角形状、三角形状、階段型八角形状などの多角形状や、ライン状、円形状などが例示され、配置としては格子状やハニカム状や網目状が例示される。観察側から見えるリブ断面部分に相当する部分（セルの枠部の面積）はできるだけ小さくした方が良く、表示状態の鮮明さが増す。
ここで、リブの形成方法を例示すると、金型転写法、スクリーン印刷法、サンドブラスト法、フォトリソグラフィー法、アディティブ法が挙げられる。いずれの方法もこの発明の対象となる画像表示装置に好適に用いることができるが、これらのうち、レジストフィルムを用いるフォトリソグラフィー法や金型転写法が好適に用いられる。 
【００３０】
次に、本発明の音響発生機能付き画像表示装置で用いられる粒子群について説明する。粒子群は光学的反射率および帯電性を有する帯電性粒子を少なくとも含む。この帯電性粒子は、その主成分となる樹脂に、必要に応じて、荷電制御剤、着色剤、無機添加剤等を配分して作製することができる。以下に、樹脂、荷電制御剤、着色剤、その他添加剤を例示する。
【００３１】
樹脂の例としては、ウレタン樹脂、ウレア樹脂、アクリル樹脂、ポリエステル樹脂、アクリルウレタン樹脂、アクリルウレタンシリコーン樹脂、アクリルウレタンフッ素樹脂、アクリルフッ素樹脂、シリコーン樹脂、アクリルシリコーン樹脂、エポキシ樹脂、ポリスチレン樹脂、スチレンアクリル樹脂、ポリオレフィン樹脂、ブチラール樹脂、塩化ビニリデン樹脂、メラミン樹脂、フェノール樹脂、フッ素樹脂、ポリカーボネート樹脂、ポリスルフォン樹脂、ポリエーテル樹脂、ポリアミド樹脂等が挙げられ、２種以上混合することもできる。特に、基板との付着力を制御する観点から、アクリルウレタン樹脂、アクリルシリコーン樹脂、アクリルフッ素樹脂、アクリルウレタンシリコーン樹脂、アクリルウレタンフッ素樹脂、フッ素樹脂、シリコーン樹脂が好適である。
【００３２】
荷電制御剤としては、特に制限はないが、負荷電制御剤としては例えば、サリチル酸金属錯体、含金属アゾ染料、含金属（金属イオンや金属原子を含む）の油溶性染料、４級アンモニウム塩系化合物、カリックスアレン化合物、含ホウ素化合物（ベンジル酸ホウ素錯体）、ニトロイミダゾール誘導体等が挙げられる。正荷電制御剤としては例えば、ニグロシン染料、トリフェニルメタン系化合物、４級アンモニウム塩系化合物、ポリアミン樹脂、イミダゾール誘導体等が挙げられる。その他、超微粒子シリカ、超微粒子酸化チタン、超微粒子アルミナ等の金属酸化物、ピリジン等の含窒素環状化合物及びその誘導体や塩、各種有機顔料、フッ素、塩素、窒素等を含んだ樹脂等も荷電制御剤として用いることもできる。
【００３３】
着色剤としては、以下に例示するような、有機または無機の各種、各色の顔料、染料が使用可能である。
【００３４】
黒色着色剤としては、カーボンブラック、酸化銅、二酸化マンガン、アニリンブラック、活性炭等がある。
青色着色剤としては、Ｃ．Ｉ．ピグメントブルー１５：３、Ｃ．Ｉ．ピグメントブルー１５、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダンスレンブルーＢＣ等がある。
赤色着色剤としては、ベンガラ、カドミウムレッド、鉛丹、硫化水銀、カドミウム、パーマネントレッド４Ｒ、リソールレッド、ピラゾロンレッド、ウォッチングレッド、カルシウム塩、レーキレッドＤ、ブリリアントカーミン６Ｂ、エオシンレーキ、ローダミンレーキＢ、アリザリンレーキ、ブリリアントカーミン３Ｂ、Ｃ．Ｉ．ピグメントレッド２等がある。
【００３５】
黄色着色剤としては、黄鉛、亜鉛黄、カドミウムイエロー、黄色酸化鉄、ミネラルファーストイエロー、ニッケルチタンイエロー、ネーブルイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキ、Ｃ．Ｉ．ピグメントイエロー１２等がある。
緑色着色剤としては、クロムグリーン、酸化クロム、ピグメントグリーンＢ、Ｃ．Ｉ．ピグメントグリーン７、マラカイトグリーンレーキ、ファイナルイエローグリーンＧ等がある。
橙色着色剤としては、赤色黄鉛、モリブデンオレンジ、パーマネントオレンジＧＴＲ、ピラゾロンオレンジ、バルカンオレンジ、インダンスレンブリリアントオレンジＲＫ、ベンジジンオレンジＧ、インダンスレンブリリアントオレンジＧＫ、Ｃ．Ｉ．ピグメントオレンジ３１等がある。
紫色着色剤としては、マンガン紫、ファーストバイオレットＢ、メチルバイオレットレーキ等がある。
白色着色剤としては、亜鉛華、酸化チタン、アンチモン白、硫化亜鉛等がある。
【００３６】
体質顔料としては、バライト粉、炭酸バリウム、クレー、シリカ、ホワイトカーボン、タルク、アルミナホワイト等がある。また、塩基性、酸性、分散、直接染料等の各種染料として、ニグロシン、メチレンブルー、ローズベンガル、キノリンイエロー、ウルトラマリンブルー等がある。
【００３７】
無機系添加剤の例としては、酸化チタン、亜鉛華、硫化亜鉛、酸化アンチモン、炭酸カルシウム、鉛白、タルク、シリカ、ケイ酸カルシウム、アルミナホワイト、カドミウムイエロー、カドミウムレッド、カドミウムオレンジ、チタンイエロー、紺青、群青、コバルトブルー、コバルトグリーン、コバルトバイオレット、酸化鉄、カーボンブラック、マンガンフェライトブラック、コバルトフェライトブラック、銅粉、アルミニウム粉などが挙げられる。
これらの顔料および無機系添加剤は、単独であるいは複数組み合わせて用いることができる。このうち特に黒色顔料としてカーボンブラックが、白色顔料として酸化チタンが好ましい。上記着色剤を配合して所望の色の粒子を作製できる。
【００３８】
また、粒子は平均粒子径d(0.5)が、１μｍ〜２０μｍの範囲であり、均一で揃っていることが好ましい。平均粒子径d(0.5)がこの範囲より大きいと表示上の鮮明さに欠け、この範囲より小さいと粒子同士の凝集力が大きくなりすぎるために移動に支障をきたすようになる。
【００３９】
さらに本発明に用いる粒子の粒子径分布に関して、下記式に示される粒子径分布Spanを５未満、好ましくは３未満とする。
Span＝（ｄ(0.9)−ｄ(0.1)）／ｄ(0.5)
（但し、ｄ(0.5)は粒子の50％がこれより大きく、50％がこれより小さいという粒子径をμｍで表した数値、ｄ(0.1)はこれ以下の粒子の比率が10％である粒子径をμｍで表した数値、ｄ(0.9)はこれ以下の粒子が90％である粒子径をμｍで表した数値である。）
Spanを５以下の範囲に納めることにより、粒子のサイズが揃い均一な移動が可能となる。
【００４０】
さらにまた、正帯電粒子と負帯電粒子として組み合わせて使用した２種類の粒子の内、最大の平均粒子径を有する粒子のd(0.5)に対する最小の平均粒子径を有する粒子のd(0.5)の比を１０以下とするのが好ましい。たとえ粒子径分布Spanを小さくしたとしても、互いに帯電極性の異なる２種類の粒子が互いに反対方向に動くので、互いの粒子サイズを同程度とし反対方向に容易に移動できるようにするのが好適であり、それがこの範囲となる。
【００４１】
また、粒子群には、帯電性粒子を移動しやすくする微小粒子を含ませることができる。この微小粒子は、個数平均一次粒子径が５ｎｍ〜５００ｎｍの微小粒子を用いることが好ましい。微小粒子としては、例えば、シリカ、酸化チタン、酸化アルミニウム、酸化亜鉛、酸化錫、炭酸カルシウム、燐酸カルシウム、および酸化セリウム等の無機微粒子；メタクリル酸エステル重合体、アクリル酸エステル重合体、スチレン−メタクリル酸エステル共重合体、スチレン−アクリル酸エステル共重合体、メラミン樹脂、及びコアがスチレン重合体でシェルがメタクリル酸エステル重合体で形成されたコアシェル型粒子等の有機樹脂粒子；が挙げられる。また、これらの微粒子は疎水化処理されていることが好ましい。
【００４２】
微小粒子は、帯電性粒子に外添させる方法で用いることができ、粒子群に含ませる量としては、帯電性粒子１００重量部に対して、０．１〜１０重量部であり、好ましくは、０．５〜６重量部である。外添させる方法としては、帯電性粒子と微小粒子とを、高速攪拌機を用いて混合・撹拌する方法が用いられる。これにより、帯電性粒子表面に微小粒子が付着し、さらには、帯電性粒子表面が微小粒子で被覆されたりする。高速攪拌機としては、ヘンシェルミキサー（商品名、三井鉱山社製）、スーパーミキサー（商品名、川田製作所製）、Ｑミキサー（商品名、三井鉱山社製）、メカノフュージョンシステム（商品名、ホソカワミクロン社製）、メカノミル（商品名、岡田精工舎製）等が挙げられる。
【００４３】
なお、上記の粒子径分布および粒子径は、レーザー回折法やレーザー散乱法などから求めることができる。測定対象となる粒子にレーザー光を照射すると空間的に回折光や散乱光の光強度分布パターンが生じ、この光強度パターンは粒子径と対応関係があることから、粒子径および粒子径分布が測定できる。
ここで、本発明における粒子径および粒子径分布は、体積基準分布から得られたものである。具体的には、Mastersizer2000(Malvern Instruments Ltd.）測定機を用いて、窒素気流中に粒子を投入し、付属の解析ソフト（Mie理論を用いた体積基準分布を基本としたソフト）にて、粒子径および粒子径分布の測定を行なうことができる。
【００４４】
さらに、本発明の音響発生機能付き画像表示装置は粒子を気体中空間（真空中空間を含む）で移動させるパネル部を用いており、このパネル部に封入した粒子を取り巻く空隙部分の状態管理が重要であり、表示安定性向上および安定した音響発生に寄与する。具体的には、空隙部分の湿度について、２５℃における相対湿度を６０％RH以下、好ましくは５０％RH以下とすることが重要である。なお、空間は真空であってもよい。
この空隙部分とは、対向する基板１、基板２に挟まれる部分から、電極５、６（電極を基板の内側に設けた場合）、表示媒体３Ｗ、３Ｂの占有部分、リブ４の占有部分（リブを設けた場合）、パネル部のシール部分を除いた、いわゆる粒子が接する気体部分（真空を含む）を指すものとする。
空隙部分の気体は、先に述べた湿度領域であれば、その種類は問わないが、乾燥空気、乾燥窒素、乾燥アルゴン、乾燥ヘリウム、乾燥二酸化炭素、乾燥メタンなどが好適である。この気体は、その湿度が保持されるように表示パネルに封入することが必要であり、例えば、表示媒体の充填、表示パネルの組み立てなどを所定湿度環境下にて行い、さらに、外からの湿度浸入を防ぐシール材、シール方法を施すことが肝要である。
パネル部の空隙部分は気体を入れずに真空にすることも好適である。この場合には、パネル周囲のシール性を高め外気浸入を確実に防ぐことが肝要である。
【００４５】
本発明の音響発生機能付き画像表示装置のパネル部における基板と基板との間隔は、粒子群が基板側に移動できて、基板に付着して画像を表示したり、基板に衝突して音を発生したりできればよく、通常１０μｍ〜５００μｍ、好ましくは１０μｍ〜２００μｍに、粒子群の大きさに応じて調整される。
対向する基板間セル内の空間における粒子群の体積占有率は５〜５０％が好ましく、さらに好ましくは５〜４０％である。５０％を超える場合には粒子移動に支障をきたし、５％未満の場合には表示した画像のコントラストが不明確となり易い。
【実施例】
【００４６】
以下の２種類の粒子群を準備し、パネル部の基板間に封入して実施例１〜８に示した音響発生機能付き画像表示装置を作製した。【００４７】
（黒色粒子）
メチルメタクリレートモノマー（関東化学試薬）６０重量部、及び、１分子中に重合反応基を複数持つ多官能性モノマーとしてエチレングリコールジメタクリレート（和光純薬試薬）４０重量部（約２５ｍｏｌ％）に、正帯電の荷電制御剤としてニグロシン化合物（ボントロンＮ０７：オリエント化学製）３重量部、及び、黒色顔料として、カーボンブラック（スペシャルブラック：デグッサ製）５重量部をサンドミルにより分散させ、（アクリル系及びメタクリル系）樹脂−炭化水素系樹脂ブロックコポリマー（モディパーＦ６００：日本油脂製）５重量部を溶解させた後、さらに２エチレンアルキルエーテル硫酸ナトリウム（ラテムルＥ−１１８Ｂ：花王製）を０．５％添加した精製水に懸濁、重合させ、濾過、乾燥させた後、分級機（ＭＤＳ−２：日本ニューマチック工業）を用いて平均粒子径９．２μｍの正帯電性黒色粒子を得た。実施例では、この黒色粒子群を用いた。【００４８】
（白色粒子）
ポリメチルペンテンポリマー（ＴＰＸ−Ｒ１８：三井化学社製）１００重量部と、着色剤として二酸化チタン（タイペークＣＲ−９０：石原産業社製）１００重量部と、負帯電の荷電制御剤としてフェノール系縮合物（ボントロンＥ８９：オリエント化学製）５重量部とを２軸混練機により溶融混練し、ジェットミル（ラボジェットＩＤＳ−ＬＪ型：日本ニューマチック工業）で細かく粉砕し、分級機（ＭＤＳ−２：日本ニューマチック工業）を用いて分級し、溶融球状化装置（ＭＲ−１０：日本ニューマチック工業）を用いて溶融球状化して、平均粒子径９．５μｍの負帯電性白色粒子を得た。実施例では、この白色粒子群を用いた。【００４９】
＜実施例１＞
ストライプ状に電極パターニングした透明なＩＴＯ膜付きの透明なポリエチレンテレフタレート（ＰＥＴ）基板（厚さ：１２５μｍ）の、１００ｎｍ厚のＩＴＯ膜上に、基板間隔を５０μｍに保持し、２００μｍ×３００μｍのマトリックス状開口部を有する隔壁（リブ）を３０μｍ幅で形成して観察側パネル基板を得た。セル内に白色粒子群と黒色粒子群とを等体積量ずつ、合わせてセル内の体積占有率が２５％となるように充填後に、背面側パネル基板とする、ストライプ状に電極パターニングした透明なＩＴＯ膜付きで厚さ１２５μｍのＰＥＴ基板と貼り合わせてパネル部を作製し、駆動電圧生成手段と組み合わせて図１に示した構成の音響発生機能付き画像表示装置を作製した。【００５０】
＜実施例２＞
ストライプ状に電極パターニングした透明なＩＴＯ膜付きの透明なガラス基板（厚さ：１００μｍ）の、１００ｎｍ厚のＩＴＯ膜上に、基板間隔を５０μｍに保持し、２００μｍ×３００μｍのマトリックス状開口部を有する隔壁（リブ）を３０μｍ幅で形成して観察側パネル基板を得た。セル内に白色粒子群と黒色粒子群とを等体積量ずつ、合わせてセル内の体積占有率が２５％となるように充填後に、背面側パネル基板とする、ストライプ状に電極パターニングした透明なＩＴＯ膜付きで厚さ１００μｍのガラス基板と貼り合わせてパネル部を作製し、駆動電圧生成手段と組み合わせて図１に示した構成の音響発生機能付き画像表示装置を作製した。【００５１】
＜実施例３＞
ストライプ状に電極パターニングした透明なＩＴＯ膜付きの透明なガラス基板（厚さ：７００μｍ）の、１００ｎｍ厚のＩＴＯ膜上に、基板間隔を５０μｍに保持し、２００μｍ×３００μｍのマトリックス状開口部を有する隔壁（リブ）を３０μｍ幅で形成して観察側パネル基板を得た。セル内に白色粒子群と黒色粒子群とを等体積量ずつ、合わせてセル内の体積占有率が２５％となるように充填後に、背面側パネル基板とする、ストライプ状に電極パターニングした透明なＩＴＯ膜付きで厚さ７００μｍのガラス基板と貼り合わせてパネル部を作製し、駆動電圧生成手段と組み合わせて図１に示した構成の音響発生機能付き画像表示装置を作製した。【００５２】
＜実施例４＞
ストライプ状に電極パターニングした透明なＩＴＯ膜付きの透明なポリエチレンテレフタレート（ＰＥＴ）基板（厚さ：１２５μｍ）の、１００ｎｍ厚のＩＴＯ膜上に、基板間隔を５０μｍに保持し、２００μｍ×３００μｍのマトリックス状開口部を有する隔壁（リブ）を３０μｍ幅で形成して観察側パネル基板を得た。セル内に白色粒子群と黒色粒子群とを等体積量ずつ、合わせてセル内の体積占有率が２５％となるように充填後に、背面側パネル基板とする、厚さ７００μｍのガラス基板と貼り合わせてパネル部を作製し、駆動電圧生成手段と組み合わせて図２に示した構成の音響発生機能付き画像表示装置を作製した。【００５３】
＜実施例５＞
ストライプ状に電極パターニングした透明なＩＴＯ膜付きの透明なガラス基板（厚さ：１００μｍ）の、１００ｎｍ厚のＩＴＯ膜上に、基板間隔を５０μｍに保持し、２００μｍ×３００μｍのマトリックス状開口部を有する隔壁（リブ）を３０μｍ幅で形成して観察側パネル基板を得た。セル内に白色粒子群と黒色粒子群とを等体積量ずつ、合わせてセル内の体積占有率が２５％となるように充填後に、背面側パネル基板とする厚さ１００μｍのガラス基板と貼り合わせてパネル部を作製し、駆動電圧生成手段と組み合わせて図２に示した構成の音響発生機能付き画像表示装置を作製した。【００５４】
＜実施例６＞
ストライプ状に電極パターニングした透明なＩＴＯ膜付きの透明なガラス基板（厚さ：７００μｍ）の、１００ｎｍ厚のＩＴＯ膜上に、基板間隔を５０μｍに保持し、２００μｍ×３００μｍのマトリックス状開口部を有する隔壁（リブ）を３０μｍ幅で形成して観察側パネル基板を得た。セル内に白色粒子群と黒色粒子群とを等体積量ずつ、合わせてセル内の体積占有率が２５％となるように充填後に、背面側パネル基板とする厚さ７００μｍのガラス基板と貼り合わせてパネル部を作製し、駆動電圧生成手段と組み合わせて図２に示した構成の音響発生機能付き画像表示装置を作製した。【００５５】
＜実施例７＞
透明なＩＴＯ膜を共通電極として設けた透明なガラス基板（厚さ：７００μｍ）の、１００ｎｍ厚のＩＴＯ膜上に、基板間隔を５０μｍに保持し、２００μｍ×３００μｍのマトリックス状開口部を有する隔壁（リブ）を３０μｍ幅で形成して観察側パネル基板を得た。セル内に白色粒子群と黒色粒子群とを等体積量ずつ、合わせてセル内の体積占有率が２５％となるように充填後に、背面側パネル基板とする、ＴＦＴ付き画素電極がガラス基板に形成された厚さ７００μｍのＴＦＴ基板と貼り合わせてパネル部を作製し、駆動電圧生成手段と組み合わせて図１に示した構成の音響発生機能付き画像表示装置を作製した。【００５６】
＜実施例８＞
透明なＩＴＯ膜を共通電極として設けた透明なガラス基板（厚さ：７００μｍ）の、１００ｎｍ厚のＩＴＯ膜上に、基板間隔を５０μｍに保持し、２００μｍ×３００μｍのマトリックス状開口部を有する隔壁（リブ）を３０μｍ幅で形成して観察側パネル基板を得た。セル内に白色粒子群と黒色粒子群とを等体積量ずつ、合わせてセル内の体積占有率が２５％となるように充填後に、背面側パネル基板とする、ＴＦＴ付き画素電極がガラス基板に形成された厚さ７００μｍのＴＦＴ基板と貼り合わせてパネル部を作製し、駆動電圧生成手段と組み合わせて図２に示した構成の音響発生機能付き画像表示装置を作製した。【００５７】
実施例１〜８の音響発生機能付き画像表示装置にて画像表示と音響発生とを実行したところいずれの音響発生機能付き画像表示装置でも画像表示と音響発生とを行うことができた。これらの装置では、約１．５オクターブの音域の音を発生させることができた。【００５８】
また、実施例１〜６の音響発生機能付き画像表示装置では、画像形成用駆動電圧生成手段および音響発生用駆動電圧生成手段は５ｍｍ程度の厚さなので、パネル部の厚さにこの画像形成用駆動電圧生成手段および音響発生用駆動電圧生成手段の厚さ５ｍｍ程度を加えた程度の薄型の音響発生機能付き画像表示装置とすることができた。【００５９】
さらに、実施例１、２および実施例４、５の音響発生機能付き画像表示装置では、画像表示部および音響発生部となるパネル部がフレキシブルに構成されているため、このパネル部の背面に小型に構成した画像形成用駆動電圧生成手段および音響発生用駆動電圧生成手段をもフレキシブル基板の上に構築することで、画像表示部および音響発生部のみならず組み上げた音響発生機能付き画像表示装置全体を曲げることができた。
【産業上の利用可能性】
【００６０】
本発明の音響発生機能付き画像表示装置は、画像表示装置と音響発生装置とを組み合わせた音響発生装置一体型の画像表示装置とするのではなく、画像表示装置の中に、画像表示装置を構成する部材を用いて、音響発生機能を持たせることにより画像表示に加えて音響発生を実行できるようにしている。従って、従来の画像表示装置を適用した用途において、画像表示に加えて、音響発生を行いたい場合に本発明の音響発生機能付き画像表示装置を好適に適用できる。電子ペーパーとして、表示した画像に対する音声説明を行ったり、画面書き換えスイッチを押した時の書き換えモードに入ったことを知らせる「ピッ」というような合図音を出させたりすることができる。【００６１】
本発明の音響派生機能付き画像表示装置は、ノートパソコン、電子手帳、ＰＤＡ(Personal Digital Assistants)と呼ばれる携帯型情報機器、携帯電話、ハンディターミナル等のモバイル機器の表示部、電子書籍、電子新聞等の電子ペーパー、看板、ポスター、黒板（ホワイトボード）等の掲示板、電子卓上計算機、家電製品、自動車用品等の表示部、ポイントカード、ＩＣカード等のカード表示部、電子広告、情報ボード、電子ＰＯＰ(Point Of Presence, Point Of Purchase advertising)、電子値札、電子棚札、電子楽譜、ＲＦ−ＩＤ機器の表示部のほか、ＰＯＳ端末、カーナビゲーション装置、時計など様々な電子機器の表示部に好適に用いられるほか、外部書換え手段に接続して表示書き換えを行う表示部（リライタブルペーパー）としても好適に用いられるものであり、帯電粒子を気体中または真空中で移動させて画像表示を行う表示メモリー性を有するパネル部を有する画像表示装置として、特に好適である。
本発明の音響発生機能付き画像表示装置の駆動方式には、パッシブ駆動方式、アクティブ駆動方式の他、ダイナミック駆動方式やセグメント駆動方式を適用できる。
【符号の説明】
【００６２】
１  第１のパネル基板
２  第２のパネル基板
３Ｗ  白色粒子群
３Ｗａ  負帯電白色粒子
３Ｂ  黒色粒子群
３Ｂａ  正帯電黒色粒子
４  リブ
５  第１のストライプ電極
６  第２のストライプ電極
９  接着剤
１１  パネル部
２１  画像形成用駆動電圧生成手段
２２、３３  ＣＰＵ
２３  グラフィックコントローラ
２４−１  第１のドライバＩＣ
２４−２  第２のドライバＩＣ
３１  音響発生用駆動電圧生成手段
３２  音源
３４  信号処理部
３５  アンプ
３６−１  第１のセレクタ
３６−２  第２のセレクタ
４１  筐体
【図１】
2011089919.tif 000003
【図２】
2011089919.tif 000004
【図３】
2011089919.tif 000005
【図４】
2011089919.tif 000006
【図５】
2011089919.tif 000007
【図６】
2011089919.tif 000008
【図７】
2011089919.tif 000009
【図８】
2011089919.tif 000010
【国際調査報告】
2011089919.tif 000011
2011089919.tif 000012
2011089919.tif 000013
2011089919.tif 000014